(57)【要約】【課題】弾球遊技機において、表示装置に表示される画像を、遊技盤を透して視認できるようにするとともに、見栄えの向上を図る。【解決手段】遊技盤３を透明部材により形成するとともに、遊技に関する数字や図柄等の識別情報を含む画像を表示可能な表示装置２０を、遊技盤３の裏面側に所定量離間させて配置する。遊技盤３の裏面と表示装置２０との間に、遊技領域９と表示装置２０とが前後に重合する情報視認領域の周囲を包囲する不透明の表示枠部材２１を介在させる。表示枠部材２１に、情報視認領域の周囲における表示装置２０と遊技盤３の裏面との間の隙間を遮蔽し得る遮蔽部２１１〜２１４を設ける。遮蔽部２１２は、駆動装置に干渉しないように上方へ隆起する隆起部212aを形成する。【選択図】図７
2011136235.tif 000002
【特許請求の範囲】
【請求項１】
遊技盤の表面に形成される遊技領域に駆動装置により開閉駆動する入賞口を設けた弾球遊技機において、
前記遊技盤を透視可能な部材により形成するとともに、遊技に関する数字や図柄等の識別情報を含む画像を表示可能な表示装置を、前記画像が前記遊技盤を透して前記遊技領域に表示し得るように前記遊技盤の裏面側に所定量離間させて配置し、
前記遊技盤の裏面と前記表示装置との間に、前記遊技領域と前記表示装置とが前後に重合する情報視認領域の周囲を包囲する不透明の表示枠部材を介在させ、
前記表示枠部材に、前記情報視認領域の周囲における前記表示装置と前記遊技盤の裏面との間の隙間を遮蔽し得るように、前記遊技領域側から前記表示装置側へ突出する遮蔽部を設け、
前記遮蔽部は、前記駆動装置に干渉しないように上方へ隆起する隆起部を形成することを特徴とする弾球遊技機。
【請求項２】
表示枠部材は、遊技盤における情報視認領域から外れた領域を後方が視認不能とする枠部を有することを特徴とする請求項１記載の弾球遊技機。
【発明の詳細な説明】
【技術分野】
【０００１】
本発明は、遊技盤に形成される遊技領域に遊技球が打出されることにより、所定の遊技が行われるようにした弾球遊技機に関する。
【背景技術】
【０００２】
弾球遊技機（パチンコ機）において、表面に円形の遊技領域を形成した遊技盤を透明部材により形成するとともに、遊技盤の裏面側に、遊技に関する数字や図柄等の情報を表示可能な表示装置を配置して、情報を遊技盤を透して視認可能とすることにより、情報を表示する表示領域を可能な限り大きくしたものが提案されている（例えば、特許文献１参照）。
【先行技術文献】
【特許文献】
【０００３】
【特許文献１】特開２００５−２８１２０公報
【発明の概要】
【発明が解決しようとする課題】
【０００４】
上述のような弾球遊技機においては、表示装置の表示部を大きくすると、表示画面が遊技盤の裏面に設けられる各種部品に干渉しないように、表示装置を遊技盤の裏面から後方へ離した位置に配置する必要がある。しかし、表示装置を遊技盤の裏面から離した位置に配置すると、表示装置の表示部と遊技盤の裏面との間に隙間が発生し、この隙間から遊技機内部が露呈し、見栄えを損ねる問題がある。
【０００５】
本発明は、上述のような課題に鑑み、表示装置に表示される画像を遊技盤を透して視認できるようにするとともに、見栄えの向上を図った弾球遊技機を提供することを目的とする。
【課題を解決するための手段】
【０００６】
本発明によると、上記課題は、次のようにして解決される。
（１）遊技盤の表面に形成される遊技領域に駆動装置により開閉駆動する入賞口を設けた弾球遊技機において、前記遊技盤を透視可能な部材により形成するとともに、遊技に関する数字や図柄等の識別情報を含む画像を表示可能な表示装置を、前記画像が前記遊技盤を透して前記遊技領域に表示し得るように前記遊技盤の裏面側に所定量離間させて配置し、前記遊技盤の裏面と前記表示装置との間に、前記遊技領域と前記表示装置とが前後に重合する情報視認領域の周囲を包囲する不透明の表示枠部材を介在させ、前記表示枠部材に、前記情報視認領域の周囲における前記表示装置と前記遊技盤の裏面との間の隙間を遮蔽し得るように、前記遊技領域側から前記表示装置側へ突出する遮蔽部を設け、前記遮蔽部は、前記駆動装置に干渉しないように上方へ隆起する隆起部を形成する。
【０００７】
（２）上記(１)項において、表示枠部材は、遊技盤における情報視認領域から外れた領域を後方が視認不能とする枠部を有する。
【発明の効果】
【０００８】
本発明によれば、次のような効果が奏せられる。
請求項１記載の発明によると、表示装置に表示される画像を、遊技領域に視認可能として、遊技者に対して迫力ある遊技を提供することができる。また、表示装置と遊技盤の裏面との間の隙間を表示枠部材の遮蔽部により遮蔽したため、隙間から遊技機の内部が露呈してしまうことを低減させ、見栄えの向上を図ることができる。さらに、駆動装置が遮蔽部に干渉しないように、遮蔽部に上方へ隆起する隆起部を形成したことにより、駆動装置が露呈しないように、表示装置と遊技盤の裏面との間の隙間を遮蔽することができる。
【０００９】
請求項２記載の発明によると、表示枠部材の枠部により、遊技盤における情報視認領域から外れた領域を後方が視認不能としたため、遊技機内部が見えることがなくなり、見栄えの向上を図ることができる。
【図面の簡単な説明】
【００１０】
【図１】本発明の一実施形態を適用した弾球遊技機の正面図である。
【図２】前扉を開けた状態の弾球遊技機の正面図である。
【図３】弾球遊技機の分解斜視図である。
【図４】遊技盤の正面図である。
【図５】図４におけるＶーＶ線に沿う縦断面図である。
【図６】遊技盤の裏面図である。
【図７】要部の分解斜視図である。
【図８】斜め後方から見た表示枠部材の分解斜視図である。
【発明を実施するための形態】
【００１１】
以下、本発明の一実施形態を、図面に基づいて説明する。図１は、本発明の一実施形態を適用した弾球遊技機の正面図、図２は、前扉を開けた状態の弾球遊技機の正面図、図３は、弾球遊技機の分解斜視図、図４は、遊技盤の正面図、図５は、図４におけるＶーＶ線に沿う縦断面図、図６は、遊技盤の裏面図、図７は、斜め後方から見た要部の分解斜視図、図８は、斜め後方から見た表示枠部材の分解斜視図である。なお、以下の説明においては、図１、２における図面手前を「前方」とし、図面奥側を「後方」とし、左方を「左方」とし、右方を「右方」とする。
【００１２】
図１〜３に示すように、弾球遊技機１は、外枠２と、外枠２に嵌め込まれる遊技盤３と、中央部に円形のガラス板５１が嵌め込まれ、外枠２の左部に上下方向のヒンジ軸を有するヒンジ６により開閉可能に枢着された前扉５とを備え、前面右下部に設けられたハンドル４ａを時計方向へ回転操作することにより、前扉５の下方に設けられた球貯留皿４ｂに貯留されている遊技球が図示略の発射装置から後述の遊技領域９に打出されて、所定の遊技を行うことができる。
【００１３】
前扉５は、閉じるとガラス板５１を透して遊技領域９を視認することができるように遊技盤３の表面側を覆う。なお、ガラス板５１は、遊技領域９の形状、大きさとほぼ同一形状に形成される。
【００１４】
遊技盤３は、アクリル樹脂等の透明の合成樹脂板、すなわち透視可能な部材により正面視ほぼ方形に形成され、その表面には、ガイドレール７、８によって包囲される円形（楕円形を含む）の遊技領域９が形成される。ハンドル４ａの操作に基いて、発射装置から発射される遊技球は、ガイドレール７、８により誘導されて遊技領域９に打出される。
【００１５】
主に図４に示すように、遊技盤３の遊技領域９には、遊技領域９に打出された遊技球が当接可能な正面視ほぼ眉型の透明な球受部材１０と、遊技領域９を流下する遊技球が通過可能な通過口１１と、遊技球が入球可能な入球口１２ａと、遊技球の流下方向を変化させる風車１３と、透明な合成樹脂製のステージ１４と、遊技球が入賞可能な図柄始動口１５及び入賞口１２ｂ〜１２ｅと、遊技者にとって不利な第１状態（遊技球が入賞不能な閉鎖状態）と遊技者にとって有利な第２状態（遊技球が入賞可能な開放状態）とに変化可能な大入賞口１６とが配置されている。また、遊技領域９の最下部には、遊技領域９に打出された遊技球を遊技盤３の裏面側に排出するアウト口１７が設けられている。なお、遊技盤３及び球受誘導部材１０の透明度合いは、完全透明である必要はなく、後述の識別情報を透視でき得る程度の半透明であっても良い。
【００１６】
ステージ１４は、遊技盤３のほぼ中央部に穿設された横長の開口３１を貫通して、遊技盤３の裏面側に突出するように取り付けられるとともに、上面には、遊技領域９を流下する遊技球のうち入球口１２ａに入球した遊技球を受け止めて、左右、前後に転動させ得るステージ部１４１が形成され、また、前面には、ステージ部１４１を転動する遊技球のうちステージ部１４１の中央部に設けられた遊技球落下部１４２に落下した遊技球を図柄始動口１５の真上に排出する遊技球排出口１４３が形成されている。
【００１７】
なお、遊技領域９に打出された遊技球は、遊技盤３の遊技領域９に植設された多数の遊技釘に当接しながら遊技領域９を流下するが、遊技釘は、図面簡素化のため省略してある。
【００１８】
図６、７に示すように、遊技盤３の裏面には、入球口１２ａに入球した遊技球をステージ１４のステージ部１４１上に誘導する透明な誘導路１８と、図柄始動口１５の下方に設けられた図示略の開閉部材（チューリップ）及び大入賞口１６を開閉駆動させるソレノイド、センサ、リンク等により構成される駆動装置１９等の部品が取り付けられている。
【００１９】
図５に示すように、遊技盤３の裏面側には、液晶ディスプレイ等により構成される表示装置２０が、遊技盤３の裏面から所定量離間した位置に配置される。
【００２０】
表示装置２０の横長矩形の表示部２０１には、遊技に関する数字や図柄等の識別情報、遊技のテーマに係わるキャラクタを描写した模様や背景等の画像が表示され、これらの画像は、遊技盤３を透して遊技機１の前面から視認することができる。
【００２１】
表示部２０１は、幅Ｗ１（図３参照）が遊技領域９の幅Ｗ２（図４参照）とほぼ同一で、高さＨ１（図３参照）が各入賞口１２ｂ〜１２ｅの位置と球受部材１０の位置間の寸法に対応する寸法を有するものが用いられる。これにより、表示部２０１に表示される画像は、４隅を除く全ての部分が遊技盤３を透して遊技領域９の幅一杯に表示される。なお、表示部２０１の４隅を含む表示領域９から外れた領域は、遊技盤３を透して後方が視認できないように、後述の表示枠部材２１により隠蔽される。
【００２２】
遊技に関する数字や図柄等の識別情報は、遊技領域９における球受部材１０とステージ１４との間の領域に表示され、遊技領域９に打出された遊技球が図柄始動口１５に入賞すると、これを契機に所定の確率に基づいて可変表示した後、所定時間経過後、停止して確定表示される。そして、確定表示された各識別情報の組み合わせが、予め定められた表示態様、例えば、同一の数字や図柄が揃った場合には、大当り状態を生起させ、大入賞口１６を第１の状態から第２の状態に変化させ、遊技者に所定の遊技価値を付与するようになっている。
【００２３】
遊技盤３の裏面と表示装置２０の表示部２０１との間には、不透明（半透明を含む）の表示枠部材２１が介在される。
【００２４】
表示枠部材２１は、遊技盤３における表示領域９と表示部２０１とが重合する、すなわち表示領域９と表示部２０１の間に位置する情報視認領域２２（図６に斜線で示す領域）に、表示部２０１に表示される情報を視認し得るようにした開口を有する枠状をなし、この開口の周囲には、情報視認領域２２の周囲を包囲して、表示部２０１と遊技盤３の裏面との間の隙間を遮蔽し得るように後方へ突出する上下及び左右の遮蔽部２１１〜２１４が設けられている。
【００２５】
各遮蔽部２１１〜２１４の周辺には、遊技盤３における情報視認領域２２から外れた領域（図６において斜線で示す領域以外の領域）を後方が視認不能とする上下及び左右の枠部２１５〜２１８が設けられている。
【００２６】
図８に示すように、表示枠部材２１における左、右の遮蔽部２１３、２１４の内側（内周面）には、必要に応じて、表示枠部材２１と異なる彩色、例えば表面にクロムメッキ等が施された左、右の装飾板２３、２４が着脱可能に取り付けられる。
【００２７】
各遮蔽板２１１〜２１４の奥行寸法は、ステージ１４、誘導路１８、駆動装置２０のうち最も後方へ突出する突出量より大になるように設定される。これにより、表示装置２０を遊技盤３の裏面側に配置した際、遮蔽部２１１〜２１４は、表示装置２０の表示部２０１をステージ１４、誘導路１８、駆動装置２０等に干渉させることなく、表示装置２０の表示部２０１と遊技盤３の裏面との間の隙間を遮蔽し、隙間から遊技機１の内部が露呈することを防止して、見栄えの向上を図ることができる。
【００２８】
なお、遮蔽部２１１〜２１４は、その後端と表示装置２０の前面との間に若干の隙間が生じるようにするか、または、ゴム、スポンジ等の緩衝材を介して、後端を表示装置２０の前面に密接させる。
【００２９】
下遮蔽部２１２は、駆動装置１９に干渉しないように、その中央部に上方へ隆起した隆起部２１２ａが形成される。これにより、駆動装置２０が露呈しないように、表示装置２０の表示部２０１と遊技盤３の裏面との間の隙間を遮蔽することができる。
【００３０】
表示枠部材２１における上枠部２１５の裏面には、表面に図示略の複数の発光ダイオードを実装した電装基板２５が取り付けられている。電装基板２５に実装された発光ダイオードは、遊技時等に点灯、点滅したりして、上枠部２１５に設けた図示略の開口を透して遊技領域９の上部表面を照明して光演出する。
【００３１】
表示枠部材２１における下枠部２１６には、各入賞口１２ｂ〜１２ｅに入賞した遊技球を下枠部２１６の裏面側に排出させる排出口２１６ａ〜２１６ｄ（図８参照）が穿設されている。
【００３２】
各入賞口１２ｂ〜１２ｅ、図柄始動口１５、大入賞口１６に入賞した遊技球は、各センサにより入賞が検知されて、下枠部２１６の裏面側に配置される透明な遊技球通路２６を通って遊技機１の裏面に排出される。
【００３３】
以上のように、本発明に係わる遊技機においては、遊技盤３を透明部材により形成するとともに、遊技に関する数字や図柄等の識別情報を含む画像を表示可能な表示装置２０を、画像が遊技盤３を透して遊技領域９の幅一杯に視認し得るように遊技盤３の裏面側に配置したことにより、遊技者に対して迫力ある遊技を提供することができる。また、表示装置２０を、遊技盤３の裏面から後方へ所定量離間させたことにより、表示装置２０の表示部２０１が遊技盤３の裏面に配置されるステージ１４、誘導路１８、駆動装置２０等の部品に干渉することがない。
【００３４】
遊技盤３の裏面と表示装置２０の表示部２０１との間に、遊技盤３における遊技領域９と表示部２０１とが重合する情報視認領域２２の周囲を包囲する不透明の表示枠部材２１を介在させ、この表示枠部材２１に、情報視認領域２２の周囲における表示装置２０と遊技盤３の裏面との間の隙間を遮蔽し得る遮蔽部２１１〜２１４を設けたことにより、表示装置２０の表示部２０１と遊技盤３の裏面との間の隙間から遊技機１の内部が露呈することを防止して見栄えの向上を図ることができる。また、表示枠部材２１の遮蔽部２１１〜２１４により、情報視認領域２２の輪郭をハッキリさせ、見栄えの向上を図ることができる。
【００３５】
表示枠部材２１は、遊技盤３における情報視認領域２２から外れた領域を後方が視認不能とする枠部２１５〜２１８を有することにより、遊技盤３における情報視認領域２２から外れた領域から遊技機１内部が露呈することを防止して、見栄えの向上を図ることができる。なお、表示枠部材２１の枠部２１５〜２１８は、情報視認領域２２から外れた領域を後方が完全に視認不能になるようにしても良いし、部分的に視認不能になるようにしても良い。
【００３６】
表示枠部材２１における遮蔽部２１１〜２１４の内周面の一部に、表示枠部材２１と異なる彩色の装飾板２３、２４を着脱可能に設けたことにより、情報透視領域２２の周囲を必要に応じて装飾することができる。
【符号の説明】
【００３７】
１  弾球遊技機
２  外枠
３  遊技盤
４ａ  ハンドル
４ｂ  球貯留皿
５  前扉
６  ヒンジ
７、８  ガイドレール
９  遊技領域
１０  球受部材
１１  通過口
１２ａ  入球口
１２ｂ〜１２ｅ  入賞口
１３  風車
１４  ステージ
１５  図柄始動口
１６  大入賞口
１７  アウト口
１８  誘導路
１９  駆動装置
２０  表示装置
２１  表示枠部材
２２  情報視認領域
２３、２４  装飾板
２５  電装基板
２６  遊技球通路
３１  開口
５１  ガラス板
１４１  ステージ部
１４２  遊技球落下部
１４３  遊技球排出口
２０１  表示部
２１１  上遮蔽部
２１２  下遮蔽部
２１２ａ  隆起部
２１３  左遮蔽部
２１４  右遮蔽部
２１５  上枠部
２１６  下枠部
２１６ａ〜２１６ｄ  排出口
２１７  左枠部
２１８  右枠部
【図１】
2011136235.tif 000003
【図２】
2011136235.tif 000004
【図３】
2011136235.tif 000005
【図４】
2011136235.tif 000006
【図５】
2011136235.tif 000007
【図６】
2011136235.tif 000008
【図７】
2011136235.tif 000009
【図８】
2011136235.tif 000010